(57)【要約】【課題】  荷重に対する耐久性のない石膏ボード等の壁材からなる壁に留め具を打ち込んだとしても、棚板及びその棚板に載置する物の荷重による留め穴の拡がりを抑えて棚板取付具の脱落を防止するための固定手段を有するとともに、棚板及び棚板に載置する物の荷重をより一層安定して保持することができる挟持手段を有する棚板取付具およびそれを用いることにより取付けられた棚を提供する【解決手段】  壁面Sと接して固定するための壁面固定部材１０と、この壁面固定部材１０の下端部から壁面固定部材１０の平面に対して略垂直方向に延出してなる棚板支持部材２０と、壁面固定部材１０に形成されたガイド孔１２に沿って摺動させ得る棚板押圧部材３０と、からなり、壁面Sに壁面固定部材１０を固定する固定手段と、棚板支持部材２０と棚板押圧部材３０とで棚板Bを挟持する挟持手段と、を有することを特徴とする。【選択図】図1
2018149059.tif 000002
【特許請求の範囲】
【請求項１】
開孔部を介して留め具を壁面に打ち込んで固定するための壁面固定部材と、前記壁面固定部材の下端部から前記壁面固定部材に対して略垂直方向に配設された棚板支持部材と、前記壁面固定部材に形成されたガイド孔に沿って摺動させて棚板を押圧する棚板押圧部材と、からなり、前記棚板支持部材と前記棚板押圧部材とで棚板を挟持する挟持手段と、を有することを特徴とする棚板取付具。
【請求項２】
留め具は、壁面固定部材を押圧する押え面を有する押え部と、前記押え部の上端側部より、前記押え面側に折曲げられてなる刺込部と、からなり、前記刺込部は、鋭利な先端部と、前記押え面から前記先端部にかけて連続して形成される凹状の湾曲面と、を有することを特徴とする請求項１記載の棚板取付具。
【請求項３】
開孔部は、壁面固定部材の長手方向に複数形成するとともに、長手方向の中心線より左右方向に交互にずらしながら配置することを特徴とする請求項１記載の棚板取付具。
【請求項４】
棚板支持部材は、壁面固定部材の下端部から壁面固定部材に対して略垂直方向に延設された支持面と、該支持面に装着する第一カバーと、からなり、該第―カバーは、棚板に形成された嵌合孔に嵌合し得る上方に突設された突起を有することを特徴とする請求項１記載の棚板取付具。
【請求項５】
挟持手段は、固定ねじと、棚板押圧部材に形成されたねじ孔と、棚板支持部材の突起の中心部に形成された挿通孔と、棚板支持部材の支持面に形成された雌ねじ部と、からなり、棚板の嵌合孔を棚板支持部材の突起に嵌合させ、棚板上面に棚板押圧部材を摺動して載置した後、前記固定ねじを前記ねじ孔と前記挿通孔とに挿通し、前記雌ねじ部にねじ込んで締め付けて前記棚板を挟持することを特徴とする請求項１又は４のいずれか一項に記載の棚板取付具。
【請求項６】
請求項１ないし５のいずれか一項に記載の棚板取付具の挟持手段によって挟持され得る棚板を有し、前記棚板は透明部材からなることを特徴とする棚。
【発明の詳細な説明】
【技術分野】
【０００１】
本発明は、建物の室内の壁面に取付けることが可能な棚板取付具および棚であり、とりわけ、荷重に対する耐久性を有しない石膏ボード等の壁材からなる壁の壁面に取付る得る棚板取付具およびそれを用いることにより取付けられた棚に関する。
【背景技術】
【０００２】
従来、建物の室内の壁面に釘を打ち込んで固定し、壁面に種々の板厚の棚板を固定するための棚板取付具が提案されている（例えば、特許文献１ないし６参照）。
【先行技術文献】
【特許文献】
【０００３】
【特許文献１】実開平１−１１４８３２号公報
【特許文献２】実開平１−９９２５１号公報
【特許文献３】特開２００６―１０２４２４号公報
【特許文献４】特開２００６−１２２０８２号公報
【特許文献５】特開２００６−２３９１２８号公報（特許第４８８０９０８号）
【特許文献６】特開２０１０−８８７５５号公報（特許第５１７３７２８号）
【発明の概要】
【発明が解決しようとする課題】
【０００４】
一方、断熱性、遮音性、施工性などに優れていることから、室内の壁材として石膏ボードが広く普及しているが、棚板及びその棚板に載置する物の荷重に対する耐久性を有していない。そのため、上記特許文献に記載の発明の棚板取付具を石膏ボードの壁材からなる壁面に釘を打ち込んで固定する場合、それらの荷重によって石膏ボードの釘穴が広がって釘が抜け落ち棚板取付具が脱落してしまう恐れがある。従って、壁面の裏側に配設された柱まで釘を打ち込むことでそれらの荷重に対する耐久性を確保するように固定しなければならず、壁面の裏側の柱の配置されていない所望の位置に棚板を取付けることができない欠点があった。
【０００５】
また、上記特許文献に記載の発明の棚板取付具は、棚板より下方に配置される壁面固定部材及び幅広の棚板支持部材を有するものであり、棚板の取り付け位置より下方に洗面台等があった場合、壁面固定部材が邪魔となって洗面台近傍に棚板を取付けることが困難となる恐れがあった。
【０００６】
また、棚板がガラス等の透明部材からなる場合、棚板より下方に配置された壁面固定部材及び幅広の棚板支持部材によって、棚に載置した物を棚板下方から視認することが困難となる恐れがあった。
【０００７】
そこで、本発明は、下記(1)(2)を有する棚板取付具および棚を提供することを目的とする。
(1)荷重に対する耐久性のない石膏ボード等の壁材に留め具を打ち込んだとしても、棚板及びその棚板に載置する物の荷重による留め穴の拡がりを抑えて棚板取付具の脱落を防止する固定手段を有するとともに、棚板及び棚板に載置する物の荷重をより一層安定して保持することができる挟持手段を有すること。
(2)棚板より上方のみに壁面固定部材を配置するとともに、棚板押圧部材と同程度の幅を有する棚板支持部材にすることで、棚板より下方に洗面台等がある場合は、容易に取付けることができるとともに、棚板が透明部材からなるものである場合は、棚板下方から棚板に載置した物を視認することを妨げない壁面固定部材及び棚板支持部材を有すること。
【課題を解決するための手段】
【０００８】
本発明の棚板取付具は、上記課題に鑑み、開孔部を介して留め具を壁面に打ち込んで固定するための壁面固定部材と、前記壁面固定部材の下端部から前記壁面固定部材に対して略垂直方向に配設された棚板支持部材と、前記壁面固定部材に形成されたガイド孔に沿って摺動させ、棚板を押圧する棚板押圧部材と、からなり、前記棚板支持部材と前記棚板押圧部材とで棚板を挟持する挟持手段と、を有することを特徴とする。
【０００９】
また、上述した構成に加え、留め具は、壁面固定部材を押圧する押え面を有する押え部と、前記押え部の上端側部より、押え面側に折曲げられてなる２つの刺込部と、からなり、前記刺込部は、鋭利な先端部と、前記押え面から前記先端部にかけて連続して形成される凹状の湾曲面と、を有することが好ましい。
【００１０】
また、上述した構成に加え、開孔部は、壁面固定部材の長手方向に複数形成するとともに、長手方向の中心線より左右方向に交互にずらしながら配置することが好ましい。
【００１１】
また、上述した構成に加え、棚板支持部材は、壁面固定部材の下端部から壁面固定部材に対して略垂直方向に延設された支持面と、該支持面に装着する第一カバーと、からなり、該第―カバーは、棚板に形成された嵌合孔に嵌合し得る上方に突設された突起を有することが好ましい。
【００１２】
また、上述した構成に加え、挟持手段は、固定ねじと、棚板押圧部材に形成されたねじ孔と、棚板支持部材の突起の中心部に形成された挿通孔と、棚板支持部材の支持面に形成された雌ねじ部と、からなり、棚板の嵌合孔を棚板支持部材の突起に嵌合させ、棚板上面に棚板押圧部材を摺動して載置した後、前記固定ねじを前記ねじ孔と前記挿通孔とに挿通し、前記雌ねじ部にねじ込んで締め付けて前記棚板を挟持することが好ましい。
【００１３】
上述した構成を有する棚板取付具の挟持手段によって挟持され得る棚板を有し、前記棚板は透明部材からなることを特徴とする棚である。
【発明の効果】
【００１４】
請求項１記載の発明によれば、壁面固定部材の下端部に棚板を挟持する挟持手段を有することで壁面固定部材の下端側に荷重の重心を位置させることにより、壁面固定部材の上端部に棚板を挟持する挟持手段を有する場合に比べて、壁面固定部材の壁面との摩擦力や留め具による抗力を増加させて棚の耐荷重性を向上させることが可能である。また、洗面台等の設置物がある場合、設置物上方近傍に棚を取付けることができるとともに、棚板がガラス等の透明部材からなるものである場合、棚板上面に載置した物等が棚板下方より視認しやすくなり、壁面固定部材が棚板より上方に配置されているため、壁面固定部材によって棚板を下方より視認することを妨げることがなく、棚板上面に載置した物がより視認しやすくすることが可能である棚板取付具を提供することができる。
【００１５】
請求項２記載の発明によれば、留め具の刺込部に生じる壁からの抗力により、棚板等の荷重に対して棚板取付具が壁面から脱落せずにしっかり保持することができるとともに、略方形状の押え面及び湾曲面によって、生じる抗力が分散されるため、荷重に対する耐久性を有していない石膏ボード等の壁材からなる壁の壁面に対して、壁面の裏側に釘を打ち込むことができる柱等がなくとも、留め穴が広がって脱落することなく所望の位置に取付けることが可能である。
【００１６】
請求項３記載の発明によれば、壁面に対して長手方向に掛かる荷重を左右方向に分散させることで、壁に対して長手方向に連続したひび割れの発生を防止することができるとともに、石膏ボード等の耐久性のない壁材からなる壁の壁面に対して取付けた棚板取付具の脱落を防止することが可能である。
【００１７】
請求項４記載の発明によれば、棚板を壁面に取付ける際に、あらかじめ棚板に設けられた嵌合孔に壁面支持部の突起に嵌合させることで位置決めを容易に行うことができるとともに、棚板押圧部材と同程度の幅の棚板支持部材を有する棚板取付具を提供することが可能である。
【００１８】
請求項５記載の発明によれば、壁面固定部材にガイド孔に沿って摺動させ得る棚板押圧部材を棚板上面に載置した状態で、棚板支持部材に固定ねじで固定することで、種々の板厚の棚板を挟持することが可能である。
【００１９】
請求項６記載の発明によれば、上述した作用効果を奏する棚板取付具によって棚板下方より棚板上面に載置した物を容易に視認することができる棚を提供することが可能である。
【図面の簡単な説明】
【００２０】
【図１】本発明の実施形態に係る棚板取付具の一例を示す分解斜視図である。
【図２】図１における留め具のみの(a)正面斜視図、(b)背面斜視図、(c)F―F線断面図である。
【図３】図１における壁面固定部材のみの正面図である。
【図４】図１における示すける第一カバー及び第二カバーのみの背面図である。
【図５】図１の棚板取付具を用いて棚板を壁面に取付けた棚を示す斜視図であり、左側においては、第一カバーおよび第二カバーを透過した状態の棚板取付具を示す斜視図である。
【図６】図５に示す壁面固定部材を留め具によって壁面に固定した状態を示すD−D線断面図である。
【図７】図５に示す棚板押圧部材と棚板支持部材とで棚板を挟持した状態を示すE―E線断面図である。
【発明を実施するための形態】
【００２１】
本発明の実施形態について図に基づいて詳細に説明する。
【００２２】
（実施形態）
本発明は、図１に示すように、壁面Sと接して固定するための壁面固定部材１０と、この壁面固定部材１０の下端部から壁面固定部材１０の平面に対して略垂直方向に配設してなる棚板支持部材２０と、壁面固定部材１０に形成されたガイド孔１２に沿って摺動させ得る棚板押圧部材３０と、からなり、壁面Sに壁面固定部材１０を固定する固定手段と、棚板支持部材２０と棚板押圧部材３０とで棚板Bを挟持する挟持手段と、を有することを特徴とする棚板取付具Aである。
【００２３】
壁面固定部材１０は、略長方形状の板体からなり、留め具４０、４０を打ち込んで壁面Sに壁面固定部材１０を固定するために、棚板支持部材２０より上方に形成された複数の開孔部１１、１１と、壁面固定部材１０の長手方向に沿って棚板押圧部材３０を上下方向に摺動させるためのガイド孔１２と、を有するものである。また、この壁面固定部材１０の側部には、後述する第二カバー５０を摺接して案内するフランジ１３、１３が上下方向に間隔を空けて形成されている。このフランジ１３、１３は、側部から壁面固定部材１０の前方に向けて傾斜させることが好ましい。
【００２４】
棚板支持部材２０は、一枚の板材からなる棚板７０下面を支持するように、壁面固定部材１０に対して、略垂直方向に壁面固定部材１０の下端部から延設された平坦な支持面２１と、この支持面２１に装着する第一カバー２３と、からなり、支持面２１は、この支持面２１の中央付近に形成された雌ねじ部２２を有し、第―カバー２３は、雌ねじ部２２の上方に位置し、固定ねじ６０を挿通するとともに、棚板７０の嵌合孔７１と嵌合して棚板７０の位置決めをする上方に突出した略筒状の突起２６を有するものである。
【００２５】
この第一カバー２３は、支持面２１を嵌入させ得るように一部が開口した中空部２４を有している。この中空部２４は、この棚板支持部材２０の雌ねじ部２２と接触しないように、支持面２１と相対する内面に左右２つの第一凸部２５、２５を有することが好ましい（図４参照）。
【００２６】
棚板押圧部材３０は、棚板７０上面を押える押圧面３１と、この押圧面３１の中央付近に貫通したねじ孔３２と、押圧面３１から後方に延出したガイド部３４と、後述する第二カバー５０と係止するように押圧面３１から上方に迫り上った左右２つの係止片３３、３３と、を有するものである。また、この棚板押圧部材３０の押圧面３１には、ゴム等からなる薄板状の弾性部材３５を貼着することが好ましい。
【００２７】
留め具４０は、壁面固定部材１０を押圧するため、正面から見て略方形状の押え部４１と、この押え部４１の上端側部より延出し、押え面４２側に鋭角に折曲げて形成された２つの刺込部４３、４３と、からなるものである。この２つの刺込部４３、４３の先端には、鋭利な先端部４４、４４を有するものである。また、この留め具４０の押え部４１から刺込部４３、４３にかけて壁面固定部材１０及び壁W内と接する部分には、連続する凹状の湾曲面４５、４５を形成することが好ましい。また、この押え部４１は、この押え部４１の上端部中央から突出し、押え部４１の押え面４２側に対して反対方向に折曲げ、刺込部４３、４３と平行に位置するように形成された突片４６を有することが好ましい。
【００２８】
上述した留め具４０を用いる場合、図３に示すように、壁面固定部材１０の開孔部１１、１１は、平行に位置した略方形状の２つの孔、からなり、壁面固定部材１０の長手方向の中心線Cより左右方向に交互にずらしながら配置するとともに、長手方向に複数配置することが好ましい。また、上述した留め具４０を打ち込んで本固定する前に壁面固定部材１０を壁面Sにビスで仮固定するために、ビス穴１４、１４を中心線C上の位置に複数設けることが好ましい。なお、木材等の壁材からなる壁や壁面の裏側に配設された柱がある場合、このビス穴１４、１４にビスを打ち込んで、壁面固定部材１０を壁面Sに本固定してもよい。
【００２９】
第二カバー５０は、留め具４０の押え部４１及び固定ねじ６０のねじ頭に接触させないように、壁面固定部材１０及び棚板押圧部材３０に対して適度な隙間を生じ得る程度の高さを備えるように、第二カバー５０の内面に左右２つの第二凸部５１、５１を設けるとともに、壁面固定部材１０のフランジ１３と摺動する第二カバー側部５２と、この第二カバー側部５２から延設され、壁面固定部材１０のフランジ１３に係止し得る第二係止片５３、５３と、を有するものである（図４参照）。
【００３０】
棚Bを構成する棚板７０には、棚板押圧部材３０のねじ孔３２と棚板支持部材２０の突起２６との対応する位置に載置され得るように、第一カバー２３の突起２６の外周面と嵌合して位置決めをする嵌合孔７１が形成されている。また、この棚板７０は、この棚板７０下方より棚板７０に載置した物を視認することができるように、ガラス等の透明部材を主体とする素材からなることが好ましい。
【００３１】
壁面Sに壁面固定部材１０を固定するための固定手段は、壁面Sに対して壁面固定部材１０を接触させたまま、壁面固定部材１０の開孔部１１、１１に留め具４０の刺込部４３、４３を挿して、壁面Sに刺込部４３、４３先端のみを突き刺した状態にした後、留め具４０の押え部４１をハンマーで打って刺込部４３、４３を壁W内部まで打ち込んで壁面固定部材１０を固定することができるものである。また、押え部４１の突片４６によって、斜上方からハンマーを打ち付ける際に突片４６がハンマーを受けることができ、刺込部４３、４３を容易に壁W内に打ち込むことができる（図６参照）。
【００３２】
棚板７０を棚板押圧部材３０と棚板支持部材２０とで挟持する挟持手段は、前記固定手段によって壁面Sに固定された壁面固定部材１０から延出された棚板支持部材２０の突起２６に棚板７０の嵌合孔７１を嵌合し載置し、さらに、棚板押圧部材３０のガイド部３４をガイド孔１２に沿って摺動させながら、棚板押圧部材３０を棚板７０上面に載置する。その後、固定ねじ６０を、棚板押圧部材３０のねじ孔３２と、突起２６の挿通孔２７と、に挿通し、固定ねじ６０を棚板支持部材２０の雌ねじ部２２にねじ込んで締め付けることで棚板７０を挟持することができるものである（図７参照）。
【００３３】
したがって、上述した本実施形態によって、壁面固定部材１０の下端部に棚Bを構成する棚板７０を挟持する挟持手段を有することで壁面固定部材１０の下端側に荷重の重心を位置させることにより、壁面固定部材１０の壁面Sとの摩擦力や留め具４０による抗力を増加させ、壁面固定部材１０の上端部において棚板７０を挟持する場合に比べて、より大きな荷重を有する物を載置させることができる棚板取付具Aを提供することが可能である。
【００３４】
また、洗面台等の設置物がある場合、この設置物上方近傍に棚Bを取付けることができるとともに、棚板７０がガラス等の透明部材からなるものである場合には、棚板７０上面に載置した物等が棚板７０下方より視認しやすくなり、壁面固定部材１０が棚板７０より上方に配置されているとともに、棚板押圧部材３０と同程度の幅の棚板支持部材２０とするため、壁面固定部材１０によって棚板７０を下方より視認することを妨げることがなく、棚板７０上面に載置した物をより視認しやすくすることが可能である棚板取付具Aを提供することが可能である。
【００３５】
また、留め具４０の刺込部４３、４３に生じる壁からの抗力により、棚板７０等の荷重に対して棚板取付具Aが壁面Sから脱落せずにしっかり保持することができるとともに、略方形状の押え面４２及び刺込部４３、４３の湾曲面４５、４５によって、生じる抗力を分散させることができ、荷重に対する耐久性を有していない石膏ボード等の壁材からなる壁Wの壁面Sに対して、壁面Sの裏側に柱等がなくとも、留め穴が広がって脱落することなく所望の位置（例えば、壁面Sの高所など）に取付けることが可能である。
【００３６】
また、壁面Sに対して掛かる荷重を左右方向に分散させることで、壁面Sに対して連続したひび割れの発生を防止することができるとともに、石膏ボード等の耐久性のない壁材からなる壁Wの壁面Sに対して取付けた棚板取付具Aの脱落を防止することが可能である。
【００３７】
また、棚板７０を壁面Sに取付ける際に、あらかじめ棚板７０に設けられた嵌合孔７１に壁面支持部２０の突起２６に嵌合させることで施工を容易に行うことができるとともに、棚板支持部材２０の支持面２１を小さくして棚板７０を挟持することができ、棚板７０下方より棚板７０に載置した物を容易に視認すること可能である。
【００３８】
また、壁面固定部材１０のガイド孔１２に沿って摺動させ得る棚板押圧部材３０を、棚板７０上面に載置した状態で、棚板支持部材２０に固定ねじ６０で固定することで、種々の板厚の棚板７０を挟持することが可能である。
【００３９】
また、上述した作用効果を有する棚板取付具Aは、例えば壁面Sの高所に取付けた際に、棚板７０下方より棚板７０に載置した物を容易に視認することができる棚Bを提供することが可能である。
【符号の説明】
【００４０】
A…棚板取付具、B…棚、C…中心線、S…壁面、W…壁、
10…壁面固定部材、11…開孔部、12…ガイド孔、13…フランジ、14…ビス穴、
20…棚板支持部材、21…支持面、22…雌ねじ部、23…第一カバー、24…中空部、25…第一凸部、26…突起、27…挿通孔、
30…棚板押圧部材、31…押圧面、32…ねじ孔、33…係止片、34…ガイド部、35…弾性部材、
40…留め具、41…押え部、42…押え面、43…刺込部、44…先端部、45…湾曲面、46…突片、
50…第二カバー、51…第二凸部、52…第二カバー側部、53…第二係止片、
60…固定ねじ、
70…棚板、71…嵌合孔
【図１】
2018149059.tif 000003
【図２】
2018149059.tif 000004
【図３】
2018149059.tif 000005
【図４】
2018149059.tif 000006
【図５】
2018149059.tif 000007
【図６】
2018149059.tif 000008
【図７】
2018149059.tif 000009